(57)【要約】【課題】縦樋が不要で、かつ雨水を建物の住環境維持のため容易に再利用することを可能にする雨樋装置を提供する。【解決手段】軒樋２で受けた雨水は、軒樋２から建物壁面６まで至る導水部３により建物壁面６に導かれ、建物壁面６上を覆うように流れ落ちて建物５下方に排水されるようになされている。又、導水部３の建物壁面６近傍には、導水部３を流れる雨水を貯える横長の雨水タンク４を略水平に設け、この雨水タンク４がその長手方向に沿うように備えた開口部４１からは貯えた雨水が随時排水されるようになし、開口部４１からの排水は建物壁面６上を覆うように流れ落ちて建物５下方に排水されるようになされている。【選択図】図１
2007170025.tif 000002
【特許請求の範囲】
【請求項１】
軒樋で受けた雨水は、軒樋から建物壁面まで至る導水部により建物壁面に導かれ、建物壁面上を覆うように流れ落ちて建物下方に排水されるようになしたことを特徴とする雨樋装置。
【請求項２】
導水部の建物壁面近傍には、導水部を流れる雨水を貯える横長の雨水タンクを略水平に設け、この雨水タンクがその長手方向に沿うように備えた開口部からは貯えた雨水が随時排水されるようになし、開口部からの排水は建物壁面上を覆うように流れ落ちて建物下方に排水されるようになしたことを特徴とする請求項１に記載の雨樋装置。
【請求項３】
導水部は、軒天井に埋め込まれた角型の呼び樋であり、この呼び樋の下面は軒天井の下面と一致することを特徴とする請求項１または２に記載の雨樋装置。
【発明の詳細な説明】
【技術分野】
【０００１】
本願発明は、建物に降った雨水を排水する雨樋装置に関するものである。
【背景技術】
【０００２】
従来から、建物に降った雨水を排水するための雨樋装置は知られている。一般的に雨樋装置は、建物の屋根に降った雨水を、屋根の軒先に設けた軒樋で集め、その雨水を軒天井の下方に設けた呼び樋を経由するなどして、縦樋から排水するようになしたものであった。
【０００３】
しかしながら、この場合縦樋は、その下部は地下に埋設された排水管に排水するために地面に達しており、またその上部は軒樋からの水を受けるために屋根の近傍まで至る。建物の上部から下部に至るように壁面に設けられたこのような縦樋は、建物の外部から見えるものであるから、建物の意匠によっては縦樋によって建物の美感が損なわれる場合があるという問題点があった。
【０００４】
また従来、特開２０００−２９７５０２号公報に示される如く、建物に降った雨水を貯えて、その貯えた水を建物の温度を下げるために利用する雨樋装置は知られている。この従来例に含まれる雨樋装置は、図３に示す如く、建物５の屋根９に降った雨水は、縦樋８を経由して建物５の地下に設けた雨水タンク４に流されて貯えられる。雨水タンク４に貯えられた雨水は、ポンプ１０によって建物５の屋根９に送られ、そこから屋根９に散水される。この散水により建物５内の環境を維持して、夏場にはこの散水により建物５の温度を下げ、クーラーなど空調に必要な電力を少なくすることが可能である、としている。
【０００５】
しかしながら、この場合には、雨水タンク４を設置するために建物５の地下に対する工事や、ポンプ１０や送水パイプ等、地下に貯えた雨水タンク４から屋根９まで水を送る送水手段が必要となるという問題点がある。
【０００６】
さらに、冷却能力に注目した場合、屋根９が建物５の居住者から遠い位置にあることから、屋根９を水によって冷却しても居住者が体感する冷却効果が低いという問題もある。
【特許文献１】特開２０００−２９７５０２号公報
【発明の開示】
【発明が解決しようとする課題】
【０００７】
本願発明は、上記背景技術に鑑みて発明されたものであり、その課題は、縦樋が不要で、かつ雨水を建物の住環境維持のため容易に再利用することを可能にする雨樋装置を提供することである。
【課題を解決するための手段】
【０００８】
上記課題を解決するために、本願発明は、軒樋で受けた雨水は、軒樋から建物壁面まで至る導水部により建物壁面に導かれ、建物壁面上を覆うように流れ落ちて建物下方に排水されるようになした。
【０００９】
又、導水部の建物壁面近傍には、導水部を流れる雨水を貯える横長の雨水タンクを略水平に設け、この雨水タンクがその長手方向に沿うように備えた開口部からは貯えた雨水が随時排水されるようになし、開口部からの排水は建物壁面上を覆うように流れ落ちて建物下方に排水されるようになしたものである。
【００１０】
又、導水部は、軒天井に埋め込まれた角型の呼び樋であり、この呼び樋の下面は軒天井の下面と一致するようになしたものである。
【発明の効果】
【００１１】
本願発明の雨樋装置においては、軒樋で受けた雨水が建物壁面上を流れ落ちるようになしたことから、縦樋が不要となる。また、単純に縦樋を取り除いたのではなく、雨水が広げられ、建物壁面上を覆うように流れ落ちるようになしたことから、建物壁面の一部分に集めた雨水が当たるのではなく、広く建物壁面を覆うように穏やかに流れ落ちる。このため、建物壁面の一点に当てられた雨水が建物壁面から跳ね返って周囲に飛散するような事態は避けられる。さらに建物壁面を伝って流れ落ちた水を地面に流す場合には、雨水が軒先から直接地面に落下して衝突する場合と異なり、地面で跳ね返って周囲を濡らしたり、跳ねた泥や落ち葉で汚したりすることがない。
【００１２】
雨水は建物壁面を覆うように流れるので、建物を冷却する効果がある。居住者近傍の建物壁面を冷却すれば、居住者は少ない雨水で冷却効果を体感することが可能である。建物壁面上に植物を配置すれば、この植物の水遣りが可能である。
【００１３】
又、導水部の建物壁面近傍には横長の雨水タンクを略水平に設けたことから、建物を冷却したい場合に随時雨水タンクから排水して建物を冷却することが可能である。雨水タンクに貯えられた雨水は開口部から建物の壁に当たって落下するようになされており、雨水タンクの水を利用する際に別途雨水タンクから雨水を散水したい部分への送水手段は不要である。建物壁面近傍に設けた雨水タンクは、縦樋と異なり建物壁面の上方に設置するものであるから、建物の美感を損ねることは無い。雨水タンクには長手方向に沿うように備えた開口部が設けられていることから、導水部が呼び樋であっても、雨水が建物壁面上の一点に当たるようなことは無く、水平方向に広げられて建物壁面上を覆うように流れる。
【００１４】
又、導水部は、軒天井に埋め込まれた角型の呼び樋であり、この呼び樋の下面は軒天井の下面と一致することから、導水部が建物の美感を損ねることが無い。呼び樋は軒天井に埋め込まれているが、その下面が外部に露出しているので、設置や交換、補修といった施工が困難になることは無い。雨水タンクは軒天井の直下に設けられるようになるため目立ちにくく、建物の美感を損ねないという効果がさらに強められる。
【発明を実施するための最良の形態】
【００１５】
図１、２は、本願の請求項１〜３の全てに対応した一実施形態である雨樋装置１を示している。この実施形態の雨樋装置１においては、軒樋２で受けた雨水は、軒樋２から建物壁面６まで至る導水部３により建物壁面６に導かれ、建物壁面６上を覆うように流れ落ちて建物下方に排水されるようになされている。
【００１６】
又、導水部３の建物壁面６近傍には、導水部３を流れる雨水を貯える横長の雨水タンク４を略水平に設け、この雨水タンク４がその長手方向に沿うように備えた開口部４１からは貯えた雨水が随時排水されるようになし、開口部４１からの排水は建物壁面６上を覆うように流れ落ちて建物下方に排水されるようになされている。
【００１７】
又、導水部３は、軒天井７に埋め込まれた角型の呼び樋であり、この呼び樋の下面３１は軒天井７の下面と一致するようになされている。
【００１８】
以下、この実施形態の雨樋装置を、より具体的詳細に説明する。図１、２は、雨樋装置１が用いられている建物５の様子を示したものである。建物５の屋根９に降った雨水は、図１のＸの如く、軒樋２に集められ、導水部３である呼び樋に送られる。導水部３は軒樋２から建物壁面６に至っており、その建物壁面６近傍に設置している雨水タンク４に雨水が流入して貯えられる。導水部３は軒天井７に埋め込まれており、下面３１は軒天井７の下面と一致している。
【００１９】
雨水タンク４下方の建物壁面６近傍には、複数個の開口部４１が等間隔で雨水タンク４の長手方向に設けられており、この開口部４１から建物壁面６に向かって随時排水されるようになしている。雨水タンク４が横長であるから、開口部４１からの排水は建物壁面６に勢い良く当たって跳ね返ることは無い。
【００２０】
本実施形態の雨樋装置１においては、軒樋２で受けた雨水が建物壁面６上を流れ落ちるようになしたことから、縦樋が不要となる。また、単純に縦樋を取り除いたのではなく、雨水が導水部３の建物壁面６近傍に設けた雨水タンク４で広げられ、建物壁面６上を覆うように流れ落ちるようになしたことから、建物壁面６の一部分に集めた雨水が当たるのではなく、広く建物壁面６を覆うように穏やかに流れ落ちる。このため、建物壁面６の一点に当てられた雨水が建物壁面６から跳ね返って周囲に飛散するような事態は避けられる。さらに建物壁面６を伝って流れ落ちた水を地面に流す場合には、地面で跳ね返って周囲を濡らしたり、跳ねた泥や落ち葉で汚したりすることがない。
【００２１】
雨水は建物壁面６を覆うように流れるので、建物５を冷却する効果がある。居住者近傍の建物壁面６を冷却すれば、居住者は少ない雨水で冷却効果を体感することが可能である。建物壁面６上に植物を配置すれば、植物の水遣りが可能である。
【００２２】
又、導水部３の建物壁面６近傍には横長の雨水タンク４を略水平に設けたことから、建物５を冷却したい場合に随時雨水タンク４から排水して建物５を冷却することが可能である。雨水タンク４に貯えられた雨水は重力に従って落下するようになされており、雨水タンク４の水を利用する際に別途送水手段は不要である。建物壁面６近傍に設けた雨水タンク４は、縦樋と異なり建物壁面６の上方に設置するものであるから、建物５の美感を損ねることは無い。雨水タンク４には長手方向に沿うように備えた開口部４１が設けられていることから、導水部３が呼び樋であっても、雨水が建物壁面６上の一点に当たるようなことは無く、水平方向に広げられて建物壁面６上を覆うように流れる。
【００２３】
又、導水部３は、軒天井７に埋め込まれた角型の呼び樋であり、この呼び樋の下面３１は軒天井７の下面と一致することから、導水部３が建物５の美感を損ねることが無い。呼び樋は軒天井７に埋め込まれているが、その下面３１が外部に露出しているので、設置や交換、補修といった施工が困難になることは無い。雨水タンク４は軒天井７の直下に設けられるため目立ちにくく、建物５の美感を損ねないという効果がさらに強められる。
【００２４】
なお、本願発明は、上記実施形態に限定されない。例えば、雨水タンク４は、気温がある定められた温度を超えた場合に排水するようになし、気温が高い場合に建物５を冷却する効果を持たせても良い。
【００２５】
雨水タンク４は、硬質塩化ビニル樹脂の中にスチール芯を入れて一体化することで熱に強く、衝撃荷重に強い構造としても良い。さらにこの構造において、スチール芯の周りの樹脂を発泡化して、強度を保ちつつ軽量化した構造としても良い。
【図面の簡単な説明】
【００２６】
【図１】本願発明の一実施形態である雨樋装置を示す斜視図。
【図２】同雨樋装置を示す断面側面図。
【図３】従来例である雨樋装置を示す構成図。
【符号の説明】
【００２７】
１  雨樋装置
２  軒樋
３  導水部
31  下面
４  雨水タンク
41  開口部
６  建物壁面
７  軒天井
【図１】
2007170025.tif 000003
【図２】
2007170025.tif 000004
【図３】
2007170025.tif 000005